(57)【特許請求の範囲】
【請求項１】
上面側に原稿を載置可能な原稿トレイと、
前記原稿トレイの上面側に載置された原稿を、前記原稿トレイから所定の搬送経路に沿って所定の搬送先へと搬送する原稿搬送機構と、
前記原稿トレイの上面側に設けられ、当該上面側における原稿の搬送方向に対し直交する方向へスライド可能で、当該スライドに伴って互いの間隔を変更可能に構成される一対の原稿ガイドと、
前記一対の原稿ガイドのうち、一方の原稿ガイドをスライドさせる操作が行われると、その操作力を他方の原稿ガイドへと伝達して、前記一対の原稿ガイドを相反する方向へとスライドさせる連動機構と、
前記原稿トレイ、前記原稿搬送機構、前記一対の原稿ガイド、及び前記連動機構が組み付けられており、前記一対の原稿ガイドのスライド方向と水平面のなす角度が増減する方向へ回動可能に構成された可動体と
を備え、
前記一方の原稿ガイドは前記他方の原稿ガイドよりも前記可動体の回動中心から離間した位置に設けられ、原稿が前記原稿トレイに載置されている状態で前記可動体を前記スライド方向と水平面のなす角度が増大する方向へ回動させた際には、前記原稿トレイの傾きが増大するのに伴って、原稿が前記他方の原稿ガイドよりも上方へと移動して当該原稿から前記他方の原稿ガイドに作用する荷重が増大する構造になっており、
しかも、前記一対の原稿ガイド及び前記連動機構は、前記他方の原稿ガイドをスライドさせる際に必要な操作荷重が、前記一方の原稿ガイドをスライドさせる際に必要な操作荷重よりも大きい構造とされている
ことを特徴とする原稿搬送装置。
【請求項２】
前記連動機構は、
前記一方の原稿ガイドから前記スライド方向へと延出する第一ラックと、
前記他方の原稿ガイドから前記スライド方向へと延出する第二ラックと、
前記第一ラック及び前記第二ラックの双方と噛み合うピニオンと
を備え、
前記一対の原稿ガイド及び前記連動機構は、前記第一ラックをスライドさせる際に当該第一ラックに作用する抵抗が、前記第二ラックをスライドさせる際に当該第二ラックに作用する抵抗よりも大きい構造とされることにより、前記他方の原稿ガイドをスライドさせる際に必要な操作荷重が、前記一方の原稿ガイドをスライドさせる際に必要な操作荷重よりも大きい構造とされている
ことを特徴とする請求項１に記載の原稿搬送装置。
【請求項３】
前記第一ラックをスライドさせる際に当該第一ラックに対して前記抵抗を作用させる箇所は、前記第一ラックをスライドさせても前記ピニオンに対する相対的な位置が変化しない箇所とされている
ことを特徴とする請求項２に記載の原稿搬送装置。
【請求項４】
前記第一ラック及び前記第二ラックは、前記原稿トレイに対して摺動する状態にあり、しかも、前記第一ラックと前記原稿トレイとの摺動箇所における接触圧が、前記第二ラックと前記原稿トレイとの摺動箇所における接触圧よりも大きい構造とされることにより、前記第一ラックをスライドさせる際に当該第一ラックに作用する抵抗が、前記第二ラックをスライドさせる際に当該第二ラックに作用する抵抗よりも大きい構造とされている
ことを特徴とする請求項２又は請求項３に記載の原稿搬送装置。
【請求項５】
前記第一ラック上で、前記ピニオンと噛み合う歯が形成された部分の裏側に当たる箇所が、前記原稿トレイとの摺動箇所となっており、
しかも、前記原稿トレイ上で、前記第一ラックとの摺動箇所となる部分には、前記第一ラック側に向かって突出する突設物が形成されている
ことを特徴とする請求項４に記載の原稿搬送装置。
【請求項６】
原稿搬送装置と、
前記原稿搬送装置によって搬送される原稿から画像を読み取る読取手段と
を備え、
前記原稿搬送装置は、
上面側に原稿を載置可能な原稿トレイと、
前記原稿トレイの上面側に載置された原稿を、前記原稿トレイから所定の搬送経路に沿って所定の搬送先へと搬送する原稿搬送機構と、
前記原稿トレイの上面側に設けられ、当該上面側における原稿の搬送方向に対し直交する方向へスライド可能で、当該スライドに伴って互いの間隔を変更可能に構成される一対の原稿ガイドと、
前記一対の原稿ガイドのうち、一方の原稿ガイドをスライドさせる操作が行われると、その操作力を他方の原稿ガイドへと伝達して、前記一対の原稿ガイドを相反する方向へとスライドさせる連動機構と、
前記原稿トレイ、前記原稿搬送機構、前記一対の原稿ガイド、及び前記連動機構が組み付けられており、前記一対の原稿ガイドのスライド方向と水平面のなす角度が増減する方向へ回動可能に構成された可動体と
を備え、
前記一方の原稿ガイドは前記他方の原稿ガイドよりも前記可動体の回動中心から離間した位置に設けられ、原稿が前記原稿トレイに載置されている状態で前記可動体を前記スライド方向と水平面のなす角度が増大する方向へ回動させた際には、前記原稿トレイの傾きが増大するのに伴って、原稿が前記他方の原稿ガイドよりも上方へと移動して当該原稿から前記他方の原稿ガイドに作用する荷重が増大する構造になっており、
しかも、前記一対の原稿ガイド及び前記連動機構は、前記他方の原稿ガイドをスライドさせる際に必要な操作荷重が、前記一方の原稿ガイドをスライドさせる際に必要な操作荷重よりも大きい構造とされている
ことを特徴とする画像読取装置。
【請求項７】
上面側が原稿を載置可能な載置面とされた本体部を備えていて、前記読取手段は、前記載置面に沿って移動しながら当該載置面に載置された原稿から画像を読み取り可能に構成されており、
しかも、前記可動体は、前記本体部に対して開閉可能に設けられており、閉じられた際には前記載置面を覆うカバーとして機能する一方、開かれる際に、前記スライド方向と水平面のなす角度が増大する方向へ回動する構造になっている
ことを特徴とする請求項６に記載の画像読取装置。
【請求項８】
画像読取装置と、
被記録媒体に対して画像を形成する画像形成手段と
を備え、
前記画像読取装置は、
原稿搬送装置と、
前記原稿搬送装置によって搬送される原稿から画像を読み取る読取手段と
を備え、
前記原稿搬送装置は、
上面側に原稿を載置可能な原稿トレイと、
前記原稿トレイの上面側に載置された原稿を、前記原稿トレイから所定の搬送経路に沿って所定の搬送先へと搬送する原稿搬送機構と、
前記原稿トレイの上面側に設けられ、当該上面側における原稿の搬送方向に対し直交する方向へスライド可能で、当該スライドに伴って互いの間隔を変更可能に構成される一対の原稿ガイドと、
前記一対の原稿ガイドのうち、一方の原稿ガイドをスライドさせる操作が行われると、その操作力を他方の原稿ガイドへと伝達して、前記一対の原稿ガイドを相反する方向へとスライドさせる連動機構と、
前記原稿トレイ、前記原稿搬送機構、前記一対の原稿ガイド、及び前記連動機構が組み付けられており、前記一対の原稿ガイドのスライド方向と水平面のなす角度が増減する方向へ回動可能に構成された可動体と
を備え、
前記一方の原稿ガイドは前記他方の原稿ガイドよりも前記可動体の回動中心から離間した位置に設けられ、原稿が前記原稿トレイに載置されている状態で前記可動体を前記スライド方向と水平面のなす角度が増大する方向へ回動させた際には、前記原稿トレイの傾きが増大するのに伴って、原稿が前記他方の原稿ガイドよりも上方へと移動して当該原稿から前記他方の原稿ガイドに作用する荷重が増大する構造になっており、
しかも、前記一対の原稿ガイド及び前記連動機構は、前記他方の原稿ガイドをスライドさせる際に必要な操作荷重が、前記一方の原稿ガイドをスライドさせる際に必要な操作荷重よりも大きい構造とされている
ことを特徴とする画像形成装置。
【発明の詳細な説明】
【技術分野】
【０００１】
本発明は、原稿搬送装置と、その原稿搬送装置を備える画像読取装置、及び、その画像読取装置を備える画像形成装置に関する。
【背景技術】
【０００２】
従来、自動原稿送り装置（Automatic Document Feeder；以下ＡＤＦと略称する。）を備えた画像読取装置では、搬送対象となる原稿を原稿トレイ上に載せる際に、原稿ガイドを利用して、載置される原稿の位置決めを行っている（例えば、特許文献１参照）。
【０００３】
より詳しくは、例えば下記特許文献１に記載されたＡＤＦの場合、ＡＤＦによる原稿搬送方向に直交する方向（以下、原稿の幅方向ともいう。）へ原稿ガイドをスライドさせることにより、原稿幅に応じて任意に原稿ガイドの位置を変更可能な構造になっている。
【０００４】
また、原稿の幅方向両側に配置される一対の原稿ガイドには、各原稿ガイドとともにスライドするラックが設けられるとともに、それら双方のラックと噛み合うピニオンが設けられている。これにより、一方の原稿ガイドをスライドさせると、それに連動して他方の原稿ガイドもスライドする連動機構が構成されている（特許文献１：［００４２］−［００４３］参照）。
【０００５】
さらに、下記特許文献１に記載されたＡＤＦは、フラットベッド型イメージスキャナに搭載されている（以下、フラットベッドをＦＢと略称する。）。この種のＦＢ型イメージスキャナは、一般に、上面側が原稿を載置可能な載置面とされた本体部を備え、イメージセンサを載置面に沿って移動させながら、載置面に載置された原稿から画像を読み取り可能に構成されている。また、本体部の上部には、本体部に対して開閉可能な開閉部が設けられ、開閉部が閉じられた際には、開閉部が載置面を覆うカバーとして機能する構造になっている。
【０００６】
そして、ＡＤＦは、上述の開閉部に組み込まれ、上述のイメージセンサを所定の読取位置へと移動させた状態でＡＤＦによる原稿搬送を行うと、原稿がイメージセンサと対向する位置を通過し、その際、イメージセンサで原稿から画像を読み取ることができる。
【先行技術文献】
【特許文献】
【０００７】
【特許文献１】特開２００８−２１３９４６号公報
【発明の概要】
【発明が解決しようとする課題】
【０００８】
ところで、上述のようなＡＤＦが開閉部に組み込まれている場合、開閉部の回動中心と原稿ガイドのスライド方向との関係によっては、開閉部が開かれるのに伴い、原稿ガイドのスライド方向が水平面に対し傾斜した方向に向けられることになる。
【０００９】
例えば、原稿ガイドのスライド方向に対して直交する方向に延びる軸線を中心に開閉部が回動する場合、開閉部が開かれると、一方の原稿ガイドは、他方の原稿ガイドよりも相対的に上方へと変位し、原稿ガイドのスライド方向は水平面に対し傾斜した方向となる。
【００１０】
このとき、原稿トレイ上に原稿が載置されていると、下側にある原稿ガイドには、原稿からの荷重が作用する状態になる。そのため、原稿ガイドをスライドさせる際に必要となる操作荷重が過剰に小さいと、原稿からの荷重が原因で原稿ガイドをスライドさせてしまい、適正な位置で保持されていた原稿が、下側にある原稿ガイドとともに下方へと滑り落ちてしまう、という問題を招く。
【００１１】
一方、このような問題だけを回避するのであれば、原稿ガイドをスライドさせる際に大きな操作荷重が必要となる構造を採用し、原稿ガイドが多少の荷重を受けても簡単にはスライドしないようにすることはできる。
【００１２】
しかし、原稿ガイドをスライドさせる際に必要となる操作荷重を過剰に大きくすると、利用者が原稿ガイドを操作してスライドさせる際にも、大きな操作荷重が必要となるため、原稿ガイドの操作性が悪くなる、という問題がある。
【００１３】
本発明は、上記問題を解決するためになされたものであり、その目的は、原稿からの荷重が原稿ガイドに作用しても原稿ガイドが簡単にはスライドせず、しかも、利用者が原稿ガイドを操作した際には原稿ガイドを容易にスライドさせることが可能な原稿搬送装置と、その原稿搬送装置を備える画像読取装置、及び、その画像読取装置を備える画像形成装置を提供することにある。
【課題を解決するための手段】
【００１４】
以下、本発明において採用した構成について説明する。
本発明の原稿搬送装置は、上面側に原稿を載置可能な原稿トレイと、前記原稿トレイの上面側に載置された原稿を、前記原稿トレイから所定の搬送経路に沿って所定の搬送先へと搬送する原稿搬送機構と、前記原稿トレイの上面側に設けられ、当該上面側における原稿の搬送方向に対し直交する方向へスライド可能で、当該スライドに伴って互いの間隔を変更可能に構成される一対の原稿ガイドと、前記一対の原稿ガイドのうち、一方の原稿ガイドをスライドさせる操作が行われると、その操作力を他方の原稿ガイドへと伝達して、前記一対の原稿ガイドを相反する方向へとスライドさせる連動機構と、前記原稿トレイ、前記原稿搬送機構、前記一対の原稿ガイド、及び前記連動機構が組み付けられており、前記一対の原稿ガイドのスライド方向と水平面のなす角度が増減する方向へ回動可能に構成された可動体とを備え、前記一方の原稿ガイドは前記他方の原稿ガイドよりも前記可動体の回動中心から離間した位置に設けられ、原稿が前記原稿トレイに載置されている状態で前記可動体を前記スライド方向と水平面のなす角度が増大する方向へ回動させた際には、前記原稿トレイの傾きが増大するのに伴って、原稿が前記他方の原稿ガイドよりも上方へと移動して当該原稿から前記他方の原稿ガイドに作用する荷重が増大する構造になっており、しかも、前記一対の原稿ガイド及び前記連動機構は、前記他方の原稿ガイドをスライドさせる際に必要な操作荷重が、前記一方の原稿ガイドをスライドさせる際に必要な操作荷重よりも大きい構造とされていることを特徴とする。
【００１５】
このように構成された原稿搬送装置において、一対の原稿ガイドをスライドさせる際、他方の原稿ガイドを操作すると、一方の原稿ガイドを操作する場合に比べ、大きい操作荷重が必要となる。そのため、原稿トレイに原稿を載置した状態で可動体を回動させた際、原稿から他方の原稿ガイドに作用する荷重が増大しても、他方の原稿ガイドは一方の原稿ガイドほど簡単にはスライドしない。したがって、可動体を回動させたことが原因で、他方の原稿ガイドがスライドしてしまう、といったトラブルを招きにくくなり、より適正に原稿を一対の原稿ガイド間に保持することが可能となる。
【００１６】
また、一対の原稿ガイドを利用者がスライドさせる際には、一方の原稿ガイドの方をスライドさせる操作を行えば、他方の原稿ガイドをスライドさせる場合よりも、小さい操作荷重を与えるだけでスライド操作を行うことができる。したがって、利用者が容易にスライド操作を実施することができる。
【００１７】
ところで、本発明の原稿搬送装置において、前記連動機構は、前記一方の原稿ガイドから前記スライド方向へと延出する第一ラックと、前記他方の原稿ガイドから前記スライド方向へと延出する第二ラックと、前記第一ラック及び前記第二ラックの双方と噛み合うピニオンとを備え、前記一対の原稿ガイド及び前記連動機構は、前記第一ラックをスライドさせる際に当該第一ラックに作用する抵抗が、前記第二ラックをスライドさせる際に当該第二ラックに作用する抵抗よりも大きい構造とされることにより、前記他方の原稿ガイドをスライドさせる際に必要な操作荷重が、前記一方の原稿ガイドをスライドさせる際に必要な操作荷重よりも大きい構造とされていることが好ましい。
【００１８】
このように構成された原稿搬送装置では、第一ラックをスライドさせる際に第一ラックに作用する抵抗が、第二ラックをスライドさせる際に第二ラックに作用する抵抗よりも大きく、第一ラックは第二ラックよりもスライドさせにくい状態になる。
【００１９】
この状態において、一方の原稿ガイドを操作した場合には、一方の原稿ガイドから延出する第一ラックに対し、直接操作荷重が与えられることになる。一方、他方の原稿ガイドを操作した場合には、一方の原稿ガイドから延出する第一ラックに対し、ピニオンを介して間接的に操作荷重が与えられることになる。
【００２０】
そのため、他方の原稿ガイドを操作する場合の方が、操作荷重の伝達効率が低下しやすく、その分だけ大きな操作荷重を他方の原稿ガイドに与えないと、第一ラックをスライドさせることができなくなる。
【００２１】
したがって、他方の原稿ガイドをスライドさせる際に必要な操作荷重が、一方の原稿ガイドをスライドさせる際に必要な操作荷重よりも大きい構造とすることができ、可動体を回動させた際に、他方の原稿ガイドがスライドしてしまうのを抑制することができる。
なお、前記第一ラックをスライドさせる際に当該第一ラックに対して前記抵抗を作用させる箇所は、前記第一ラックをスライドさせても前記ピニオンに対する相対的な位置が変化しない箇所とされていることが好ましい。
【００２２】
また、本発明の原稿搬送装置において、前記第一ラック及び前記第二ラックは、前記原稿トレイに対して摺動する状態にあり、しかも、前記第一ラックと前記原稿トレイとの摺動箇所における接触圧が、前記第二ラックと前記原稿トレイとの摺動箇所における接触圧よりも大きい構造とされることにより、前記第一ラックをスライドさせる際に当該第一ラックに作用する抵抗が、前記第二ラックをスライドさせる際に当該第二ラックに作用する抵抗よりも大きい構造とされていることが好ましい。
【００２３】
このように構成された原稿搬送装置によれば、第一ラックと原稿トレイとの摺動箇所における接触圧が、第二ラックと原稿トレイとの摺動箇所における接触圧よりも大きくされている。したがって、双方の摺動箇所それぞれで材質を変えてあるような複雑な構造を採用しなくても、容易に、第一ラックをスライドさせる際に第一ラックに作用する抵抗を、第二ラックをスライドさせる際に第二ラックに作用する抵抗よりも大きくすることができる。
【００２４】
また、本発明の原稿搬送装置は、前記第一ラック上で、前記ピニオンと噛み合う歯が形成された部分の裏側に当たる箇所が、前記原稿トレイとの摺動箇所となっており、しかも、前記原稿トレイ上で、前記第一ラックとの摺動箇所となる部分には、前記第一ラック側に向かって突出する突設物が形成されていることが好ましい。
【００２５】
このように構成された原稿搬送装置によれば、原稿トレイ上に形成された突設物が、第一ラックとの摺動箇所となっているので、この突設物の突出量に応じて第一ラックと原稿トレイとの摺動箇所における接触圧が決まる。したがって、突設物の突出量を最適化するという簡単な方法で、第一ラックと原稿トレイとの摺動箇所における接触圧を所望の接触圧とすることができる。
【００２６】
次に、本発明の画像読取装置は、原稿搬送装置と、前記原稿搬送装置によって搬送される原稿から画像を読み取る読取手段とを備え、前記原稿搬送装置は、上面側に原稿を載置可能な原稿トレイと、前記原稿トレイの上面側に載置された原稿を、前記原稿トレイから所定の搬送経路に沿って所定の搬送先へと搬送する原稿搬送機構と、前記原稿トレイの上面側に設けられ、当該上面側における原稿の搬送方向に対し直交する方向へスライド可能で、当該スライドに伴って互いの間隔を変更可能に構成される一対の原稿ガイドと、前記一対の原稿ガイドのうち、一方の原稿ガイドをスライドさせる操作が行われると、その操作力を他方の原稿ガイドへと伝達して、前記一対の原稿ガイドを相反する方向へとスライドさせる連動機構と、前記原稿トレイ、前記原稿搬送機構、前記一対の原稿ガイド、及び前記連動機構が組み付けられており、前記一対の原稿ガイドのスライド方向と水平面のなす角度が増減する方向へ回動可能に構成された可動体とを備え、前記一方の原稿ガイドは前記他方の原稿ガイドよりも前記可動体の回動中心から離間した位置に設けられ、原稿が前記原稿トレイに載置されている状態で前記可動体を前記スライド方向と水平面のなす角度が増大する方向へ回動させた際には、前記原稿トレイの傾きが増大するのに伴って、原稿が前記他方の原稿ガイドよりも上方へと移動して当該原稿から前記他方の原稿ガイドに作用する荷重が増大する構造になっており、しかも、前記一対の原稿ガイド及び前記連動機構は、前記他方の原稿ガイドをスライドさせる際に必要な操作荷重が、前記一方の原稿ガイドをスライドさせる際に必要な操作荷重よりも大きい構造とされていることを特徴とする。
【００２７】
また、本発明の画像読取装置は、上面側が原稿を載置可能な載置面とされた本体部を備えていて、前記読取手段は、前記載置面に沿って移動しながら当該載置面に載置された原稿から画像を読み取り可能に構成されており、しかも、前記可動体は、前記本体部に対して開閉可能に設けられており、閉じられた際には前記載置面を覆うカバーとして機能する一方、開かれる際に、前記スライド方向と水平面のなす角度が増大する方向へ回動する構造になっていることが好ましい。
【００２８】
このように構成された画像読取装置によれば、画像を読み取る際に、本発明の原稿搬送装置を利用して原稿を搬送でき、その際には、本発明の原稿搬送装置について述べたとおりの作用、効果を奏する。
【００２９】
次に、本発明の画像形成装置は、画像読取装置と、被記録媒体に対して画像を形成する画像形成手段とを備え、前記画像読取装置は、原稿搬送装置と、前記原稿搬送装置によって搬送される原稿から画像を読み取る読取手段とを備え、前記原稿搬送装置は、上面側に原稿を載置可能な原稿トレイと、前記原稿トレイの上面側に載置された原稿を、前記原稿トレイから所定の搬送経路に沿って所定の搬送先へと搬送する原稿搬送機構と、前記原稿トレイの上面側に設けられ、当該上面側における原稿の搬送方向に対し直交する方向へスライド可能で、当該スライドに伴って互いの間隔を変更可能に構成される一対の原稿ガイドと、前記一対の原稿ガイドのうち、一方の原稿ガイドをスライドさせる操作が行われると、その操作力を他方の原稿ガイドへと伝達して、前記一対の原稿ガイドを相反する方向へとスライドさせる連動機構と、前記原稿トレイ、前記原稿搬送機構、前記一対の原稿ガイド、及び前記連動機構が組み付けられており、前記一対の原稿ガイドのスライド方向と水平面のなす角度が増減する方向へ回動可能に構成された可動体とを備え、前記一方の原稿ガイドは前記他方の原稿ガイドよりも前記可動体の回動中心から離間した位置に設けられ、原稿が前記原稿トレイに載置されている状態で前記可動体を前記スライド方向と水平面のなす角度が増大する方向へ回動させた際には、前記原稿トレイの傾きが増大するのに伴って、原稿が前記他方の原稿ガイドよりも上方へと移動して当該原稿から前記他方の原稿ガイドに作用する荷重が増大する構造になっており、しかも、前記一対の原稿ガイド及び前記連動機構は、前記他方の原稿ガイドをスライドさせる際に必要な操作荷重が、前記一方の原稿ガイドをスライドさせる際に必要な操作荷重よりも大きい構造とされていることを特徴とする。
このように構成された画像形成装置によれば、画像形成装置が備える画像読取装置で画像を読み取る際に、本発明の原稿搬送装置を利用して原稿を搬送でき、その際には、本発明の原稿搬送装置について述べたとおりの作用、効果を奏する。
【図面の簡単な説明】
【００３０】
【図１】画像読取装置を備えた複合機を示す図であり、（ａ）は複合機の平面図、（ｂ）は複合機の正面図。
【図２】スキャナユニットの縦断面図。
【図３】原稿ガイド及び原稿トレイ付近を示す図であり、（ａ）は上方から見た説明図、（ｂ）は下方から見た説明図。
【図４】図２に示したＡ部の拡大図。
【図５】（ａ）は図３（ｂ）に示したＢ部の拡大図、（ｂ）は図５（ａ）に示したラック及びピニオンが取り外された状態を示す説明図。
【発明を実施するための形態】
【００３１】
次に、本発明の実施形態について一例を挙げて説明する。
［複合機の構造］
図１（ａ）及び同図（ｂ）に示す複合機１は、画像読取装置としての機能（スキャン機能）に加え、その他の機能（例えば、プリント機能、コピー機能、ファクシミリ送受信機能など）を兼ね備えたものである。なお、以下の説明においては、複合機１が備える各部の相対的な位置関係をわかりやすく説明するため、図中に併記した上下左右前後の各方向を利用する。
【００３２】
複合機１は、メインユニット２と、メインユニット２の上部に搭載されたスキャナユニット３を備えている。スキャナユニット３は、後端側を回動中心にして前端側を上下方向へと回動させることにより、メインユニット２に対して開閉可能な構造になっていて、メインユニット２上部の開口部を覆うカバーとして機能している。
【００３３】
また、スキャナユニット３は、ＦＢ型イメージスキャナに対しＡＤＦが付加された構造とされたもので、ＦＢ本体部５と、このＦＢ本体部５の上面側を覆うＡＤＦ部７とを備えている。
【００３４】
ＡＤＦ部７は、後端側を回動中心にして前端側を上下方向へと回動させることにより、ＦＢ本体部５に対して開閉可能な構造になっていて、ＦＢ本体部５の上面（後述するＦＢガラス１７上面）を覆うカバーとして機能している。この開閉機構を利用して、ＡＤＦ部７を図１（ａ）及び同図（ｂ）に示した閉位置から図示しない開位置へと移動させれば、原稿をＦＢ本体部５の上面側に搭載することができる状態となる。
【００３５】
また、ＡＤＦ部７は、上記のような回動可能な構造とは別に、ＦＢ本体部５に対して上下方向へ変位可能な構造にもなっている。これにより、ＡＤＦ部７を上方へと持ち上げれば、比較的厚みのある原稿であっても、ＦＢ本体部５とＡＤＦ部７との間に原稿を挟み込むことができる。
【００３６】
［スキャナユニットの詳細］
次に、スキャナユニット３について、図２に基づいて、さらに詳細に説明する。
スキャナユニット３は、第一イメージセンサ１１及び第二イメージセンサ１２を備えている。本実施形態において、第一イメージセンサ１１及び第二イメージセンサ１２は、双方とも密着イメージセンサ（Contact Image Sensor）が利用されている。
【００３７】
スキャナユニット３において、第一イメージセンサ１１は、ＦＢ本体部５に設けられたキャリッジ１５に搭載され、キャリッジ１５とともに左右方向へ往復移動可能に構成されている。また、第一イメージセンサ１１の移動経路上方には、ＦＢガラス１７が配設されている。
【００３８】
スキャナユニット３がＦＢスキャナとして利用される場合、原稿はＦＢガラス１７上に載置される。そして、第一イメージセンサ１１は、複合機１の前後方向を主走査方向、左右方向を副走査方向として、副走査方向へ移動しながら、主走査方向に並ぶ複数の画素を繰り返し読み取ることで、原稿から画像を読み取り可能となっている。
【００３９】
また、第一イメージセンサ１１の移動経路上方で、ＦＢガラス１７の左方には、第一ＡＤＦガラス２１が配設され、第二イメージセンサ１２の上方には、第二ＡＤＦガラス２２が配設されている。そして、第一ＡＤＦガラス２１の上方には、第一原稿ホルダ２３が配設され、第二ＡＤＦガラス２２の上方には、第二原稿ホルダ２４が配設されている。
【００４０】
さらに、スキャナユニット３は、動力源から伝達される動力で駆動されるローラとして、供給ローラ３１、分離ローラ３２、中継搬送ローラ３３、メイン搬送ローラ３４、及び排出ローラ３５を備えている。また、これらのローラ３１〜３５と協働して原稿を挟み込みつつ、駆動されるローラ又は搬送される原稿に追従して回転するローラとして、第一ピンチローラ３６、第二ピンチローラ３７、第三ピンチローラ３８、第四ピンチローラ３９を備えている。
【００４１】
スキャナユニット３がＡＤＦスキャナとして利用される場合、上述のローラ群が駆動される。その際、原稿トレイ４１に載せられた原稿は、図２に破線で示した搬送経路に沿って搬送される。具体的には、原稿トレイ４１に載せられた原稿は、供給ローラ３１によって搬送方向下流側へと送り出され、その原稿が分離ローラ３２によって一枚ずつに分離される。
【００４２】
また、分離ローラ３２によって一枚ずつに分離された原稿は、中継搬送ローラ３３によってメイン搬送ローラ３４へと送り出され、その原稿がメイン搬送ローラ３４の外周沿いにＵターンさせられる。そして、メイン搬送ローラ３４によって送り出される原稿が、さらに排出ローラ３５によって搬送方向下流側へと送られて、その原稿が排出トレイ４３へと排出される。
【００４３】
また、スキャナユニット３がＡＤＦスキャナとして利用される場合、第一イメージセンサ１１は、左右方向について第一原稿ホルダ２３の直下となる位置へ移動し、その位置で静止する。なお、第二イメージセンサ１２は、左右方向について第二原稿ホルダ２４の直下となる位置に配設されており、その位置から左右方向へは移動しない構造になっている。
【００４４】
上述のローラ群によって搬送される原稿は、中継搬送ローラ３３によって送り出された後、メイン搬送ローラ３４に到達するまでに、第二ＡＤＦガラス２２と第二原稿ホルダ２４との間を通過する。その際、第二イメージセンサ１２は、複合機１の前後方向を主走査方向、搬送方向を副走査方向として、副走査方向へ移動する原稿から、主走査方向に並ぶ複数の画素を繰り返し読み取ることで、原稿の裏面側から画像を読み取る。
【００４５】
また、上記原稿は、メイン搬送ローラ３４によって送り出された後、排出ローラ３５に到達するまでに、第一ＡＤＦガラス２１と第一原稿ホルダ２３との間を通過する。その際、第一イメージセンサ１１は、複合機１の前後方向を主走査方向、搬送方向を副走査方向として、副走査方向へ移動する原稿から、主走査方向に並ぶ複数の画素を繰り返し読み取ることで、原稿の表面側から画像を読み取る。
【００４６】
［原稿ガイドの詳細］
次に、原稿ガイドについて、図３〜図５に基づいて説明する。
原稿トレイ４１の上面側には、図３（ａ）に示すように、原稿トレイ４１の上面側における原稿の搬送方向（図３（ａ）中の左右方向）に対し直交する方向（図３（ａ）中の前後方向）に間隔を空けて、一対の原稿ガイド５１，５２が配設されている。
【００４７】
また、一方の原稿ガイド５１には、原稿ガイド５１とともに一体成形された第一ラック５３が設けられ、他方の原稿ガイド５２には、原稿ガイド５２とともに一体成形された第二ラック５４が設けられている。
【００４８】
これら第一ラック５３及び第二ラック５４は、原稿トレイ４１に形成された溝４１Ａ，４１Ｂの内側に収容され、溝４１Ａ，４１Ｂに沿って前後方向へスライド可能とされている。なお、第一ラック５３及び第二ラック５４がスライドする際には、原稿ガイド５１，５２も第一ラック５３及び第二ラック５４とともに前後方向へスライドすることになる。
【００４９】
また、溝４１Ａの後端側、及び溝４１Ｂの前端側には開口４１Ｃ，４１Ｄが形成され、第一ラック５３及び第二ラック５４の端部は、図３（ｂ）に示すように、開口４１Ｃ，４１Ｄを介して原稿トレイ４１の下面側へと通されている。そして、原稿トレイ４１の下面側には、第一ラック５３及び第二ラック５４の双方と噛み合うピニオン５５が設けられている。
【００５０】
ピニオン５５は、図４に拡大して示すように、原稿トレイ４１の下面側に突設されたボス５６に嵌め込まれて、ボス５６を中心に回転可能とされている。ボス５６の先端にはフランジ付ねじ５７が取り付けられ、このフランジ付ねじ５７により、ピニオン５５がボス５６から抜けない構造とされている。
【００５１】
また、ボス５６には、圧縮ばね５８も嵌め込まれており、この圧縮ばね５８によって、ピニオン５５が常にフランジ付ねじ５７に対して加圧接触することで、ピニオン５５の回転を妨げる摩擦抵抗が生じる構造とされている。
【００５２】
さらに、原稿トレイ４１の下面側には、図５（ａ）及び同図（ｂ）に示すように、第一ラック５３側に向かって突出する突設物６１が形成されている。この突設物６１は、第一ラック５３上で、ピニオン５５と噛み合う歯が形成された部分の裏側に当たる箇所に対して加圧接触する状態にある。
【００５３】
そのため、第一ラック５３は、突設物６１との接触に伴ってピニオン５５に押し当てられる状態でスライドし、これにより、第一ラック５３には、突設物６１が設けられていない場合よりも大きい摺動抵抗が生じる構造となっている。
【００５４】
ただし、このような突設物６１を設けると、第一ラック５３をスライドさせる際に必要な操作荷重よりも、第二ラック５４をスライドさせる際に必要な操作荷重が大きくなる。より詳しくは、一方の原稿ガイド５１を操作する場合、その操作力は直接第一ラック５３に伝わるので、突設物６１によって増大した摺動抵抗分だけ大きな力を加えれば、第一ラック５３をスライドさせることができる。
【００５５】
これに対し、他方の原稿ガイド５２を操作する場合、その操作力はピニオン５５を介して第一ラック５３に伝わるので、突設物６１によって増大した摺動抵抗は、ピニオン５５のギア効率分だけ増大することになる。
【００５６】
したがって、例えば、第二ラック５４からピニオン５５を経て第一ラック５３に至る動力伝達経路において、バックラッシュを詰めるなどの手法であえてギア効率を低下させれば、他方の原稿ガイド５２は、容易にスライドさせることができない状態となる。
【００５７】
つまり、上記のような突設物６１を設けるとともに、ギア効率を調節することにより、一方の原稿ガイド５１を操作する際に必要な操作荷重は小さく、他方の原稿ガイド５２を操作する際に必要な操作荷重は大きい構造とすることができるのである。
【００５８】
より具体的な一例を挙げて説明すれば、例えば、第一ラック５３を単独で摺動させる際に必要な摺動負荷が３Ｎ、第二ラック５４を単独で摺動させる際に必要な摺動負荷が０．５Ｎ、ラック−ピニオン間のギア効率が０．７の場合、一方の原稿ガイド５１を操作する際に必要な操作荷重は、３＋０．５／０．７／０．７＝４．０２Ｎとなる。一方、他方の原稿ガイド５２を操作する際に必要な操作荷重は、３／０．７／０．７＋０．５＝６．６２Ｎとなる。
【００５９】
したがって、このような手法で、各原稿ガイド５１，５２の操作に必要な操作荷重に差を付ければ、利用者が操作する際には、手前側にある一方の原稿ガイド５１を操作することにより、比較的容易に一対の原稿ガイド５１，５２をスライドさせることができる。
【００６０】
また、原稿トレイ４１に原稿を載せたまま、ＡＤＦ部７を回動させる操作を行った場合に、原稿からの荷重が他方の原稿ガイド５２に作用したとしても、他方の原稿ガイド５２は簡単にはスライドしないので、原稿が後方へとずり落ちることがなく、適正な位置に保持された状態を維持することができる。
【００６１】
［変形例等］
以上、本発明の実施形態について説明したが、本発明は上記の具体的な一実施形態に限定されず、この他にも種々の形態で実施することができる。
【００６２】
例えば、上記実施形態では、突設物６１を設けることにより、第一ラック５３の摺動抵抗を、第二ラック５４より大きくしていたが、例えば、一方のラックの摺動箇所を摩擦係数の大きい材質にするなど、他の方法で一方のラックの摺動抵抗を増大させてもよい。
【００６３】
また、上記実施形態においては、スキャナユニット３が、複合機１に組み込まれる事例を示したが、単機能のイメージスキャナ装置として構成されていてもよい。
【符号の説明】
【００６４】
１・・・複合機、２・・・メインユニット、３・・・スキャナユニット、５・・・ＦＢ本体部、７・・・ＡＤＦ部、１１・・・第一イメージセンサ、１２・・・第二イメージセンサ、１５・・・キャリッジ、１７・・・ＦＢガラス、２１・・・第一ＡＤＦガラス、２２・・・第二ＡＤＦガラス、２３・・・第一原稿ホルダ、２４・・・第二原稿ホルダ、３１・・・供給ローラ、３２・・・分離ローラ、３３・・・中継搬送ローラ、３４・・・メイン搬送ローラ、３５・・・排出ローラ、３６・・・第一ピンチローラ、３７・・・第二ピンチローラ、３８・・・第三ピンチローラ、３９・・・第四ピンチローラ、４１・・・原稿トレイ、４１Ａ，４１Ｂ・・・溝、４１Ｃ，４１Ｄ・・・開口、４３・・・排出トレイ、５１，５２・・・原稿ガイド、５３・・・第一ラック、５４・・・第二ラック、５５・・・ピニオン、５６・・・ボス、５７・・・フランジ付ねじ、５８・・・圧縮ばね、６１・・・突設物。
【図１】
0005278397.tif 000002
【図２】
0005278397.tif 000003
【図３】
0005278397.tif 000004
【図４】
0005278397.tif 000005
【図５】
0005278397.tif 000006